(57)【要約】【課題】使用後の注射針に安全に、かつ確実にキャップを被着できる注射針用キャップを提供する。【解決手段】注射針２の保護用キャップ10であって、キャップ10は把持部15と、キャップ本体11の開口面の縁部14に形成された切欠き部12とからなるので、注射針２にキャップ10を被着する際、把持部15を挟持し、切欠き部12に注射針２を入れ、注射針２の針先２ａをキャップ本体11の内側面に当接させ、その後注射針２を該内側面に沿わせてキャップ10の奥にそのままスライドさせることによってキャップ10の中に導くことができる。したがって、注射針２の針先が容易にキャップ内に誘導され安全に、かつ確実にキャップ10を被着できる。【選択図】図１
2005152361.tif 000002
【特許請求の範囲】
【請求項１】
注射針の保護用キャップであって、キャップ本体に把持部を形成したことを特徴とする注射針用キャップ。
【請求項２】
注射針の保護用キャップであって、キャップ本体の開口面の縁部に切欠き部を形成したことを特徴とする請求項１記載の注射針用キャップ。
【請求項３】
注射針の保護用キャップであって、キャップ本体の開口面の縁部に突起部を延設したことを特徴とする注射針用キャップ。
【請求項４】
前記突起部とほぼ同軸上の前記キャップ本体に把持部を設けたことを特徴とする請求項３記載の注射針用キャップ。
【発明の詳細な説明】
【技術分野】
【０００１】
本発明は、注射針にキャップを被着する場合の誤刺をなくすことにより、安全にキャップを被着できる注射針用キャップに関するものである。
【背景技術】
【０００２】
病院などで使用する注射器には注射針が装着されたまま廃棄されるので、廃棄時に人体に刺さらないように安全性を確保する目的で注射針を保護するキャップが被着されている。しかしながら、キャップの開口部が小さいため、これに注射針を挿入する際、針先で指等を刺す事故が発生し、また注射針を介してウイルス感染したという例が報告されるなど社会的問題となっている。
【０００３】
このような問題を解決する注射針用の保護キャップとして、例えば特許文献１及び特許文献２などに、筒状のキャップ本体の一端開口面の縁部から軸線方向に、注射針が通る形状の切れ込みを形成した注射針用の保護キャップが開示されている。
【０００４】
これらの特許文献に記載の保護キャップの使用時には、注射針の胴部を横から切れ込み溝に入れ、その状態でスライドさせて注射針の針先を保護キャップの中に差し入れる。このように注射針に対して横から被せることができるため、保護キャップの被着時に誤って針先で指を刺す虞がないというものである。
【０００５】
したがって、筒状の保護キャップ本体に切れ込み溝を形成した保護キャップにより、注射針の処理において、ある程度針刺し事故を防止できている。しかしながら、この切れ込み溝が縦長に設けてあり、保護キャップ本体を両側からつまんで注射針を差し入れるため、急いで作業するときなど指等を刺してしまう危険があった。
【特許文献１】実開平７−１８７３９号公報
【特許文献２】特開平８−８９５７３号公報
【発明の開示】
【発明が解決しようとする課題】
【０００６】
本発明は、使用後の注射針に安全に、かつ確実にキャップを被着できる注射針用キャップを提供することである。
【課題を解決するための手段】
【０００７】
本発明の請求項１記載の注射針用キャップは、キャップ本体に把持部を形成したことを特徴とする。
【０００８】
本発明の請求項２記載の注射針用キャップは、請求項１において、注射針の保護用キャップであって、キャップ本体の開口面の縁部に切欠き部を形成したことを特徴とする。
【０００９】
本発明の請求項３記載の注射針用キャップは、注射針の保護用キャップであって、キャップ本体の開口面の縁部に突起部を延設したことを特徴とする。
【００１０】
本発明の請求項４記載の注射針用キャップは、請求項３において、前記突起部とほぼ同軸上の前記キャップ本体に把持部を設けたことを特徴とする。
【発明の効果】
【００１１】
本発明の請求項１記載の注射針用キャップによれば、把持部を持って注射針を差し入れるため、キャップ本体を両側から挟持しないので指等を刺してしまうことなく安全にキャップを被着できる。
【００１２】
本発明の請求項２記載の注射針用キャップによれば、注射針にキャップを被着する際、切欠き部に注射針を入れ、注射針の針先をキャップ本体の内側面に当接させ、その後注射針を該内側面に沿わせてキャップの奥にそのままスライドさせることによってキャップの中に導くことができる。したがって、注射針の針先が容易にキャップ内に誘導され安全に、かつ確実にキャップを被着できる。また、把持部を持って注射針を差し入れるため、キャップ本体を両側から挟持しないので指等を刺してしまうことなく安全にキャップを被着できる。さらに、キャップ本体に切欠き部を設けているため、成型が容易であって製造コストを安価に抑えることができる。
【００１３】
本発明の請求項３記載の注射針用キャップによれば、注射針にキャップを被着する際、注射針の針先を突起部とキャップの開口面の縁部との間に入れ、注射針の針先をキャップ本体の内側面に当接させ、その後注射針を該内側面に沿わせてキャップの奥にそのままスライドさせることによってキャップの中に導くことができる。したがって、注射針の針先が容易にキャップ内に誘導され安全に、かつ確実にキャップを被着できる。
【００１４】
本発明の請求項４記載の注射針用キャップによれば、突起部とほぼ同軸上のキャップの本体に把持部が設けられているので、注射針の針先が指の位置と反対側の位置にくるため、針先が指や手に刺さる虞がない。さらに、注射針の針先が容易にキャップ内に誘導され安全に、かつ確実にキャップを被着できる。
【発明を実施するための最良の形態】
【００１５】
以下、本発明の注射針用キャップを実施例により具体的に説明する。
【実施例１】
【００１６】
本発明の第１実施形態を添付図面を参照して説明する。図１に示すように、注射器１は、通常医療現場で使用されている公知のものであり、注射器１の本体部５と、その本体部５に取り付けられた取付け部４と接続部３とを有する注射針２とからなる。
【００１７】
本発明の注射用キャップ10は、外周は円柱形状で一端は略半球型であり、他端は開口し、プラスチックなどの合成樹脂から成型されている。また、キャップ10は、キャップ本体11の開口面の縁部14から側面にかけて形成されたＶ字状の切欠き部12と、Ｖ字状の切欠き部12の先端とほぼ同軸上のキャップ本体11の中央部に設けられた把持部15とからなる。この把持部15は、親指と人差し指とで挟持し易いように台形状に形成されている。
【００１８】
注射針２にキャップ10を被着する際、親指と人差し指で把持部15を挟持し、切欠き部12に注射針２を入れ、注射針２の針先２ａをキャップ本体11の内側面に当接させ、その後注射針２を傾け、該内側面に沿わせてキャップ10の奥にそのままスライドさせることによってキャップ10の中に導くことができる。したがって、注射針２の針先が容易にキャップ内に誘導され安全に、かつ確実にキャップ10を被着できるので、針刺し事故等を防止することができる。また、把持部15を設けたから、注射針２の針先２ａが指の位置と反対側に位置するため、針先２ａが指や手に刺さる虞がない。さらに、キャップ本体11に切欠き部12を設けているため、成型が容易であって製造コストを安価に抑えることができる。
【００１９】
このように本実施形態では、請求項１に対応して、把持部15を設けたから、注射針２の針先２ａが指の位置と反対側に位置するため、針先２ａが指や手に刺さる虞がない。また、安全にキャップ10を被着できるので、針刺し事故等を防止することができる。
【００２０】
このように本実施形態では、請求項２に対応して、注射針２の保護用キャップ10であって、キャップ本体11の開口面の縁部14に切欠き部12を形成したので、注射針２にキャップ10を被着する際、切欠き部12に注射針２を入れ、注射針２の針先２ａをキャップ本体11の内側面に当接させ、その後注射針２を該内側面に沿わせてキャップ10の奥にそのままスライドさせることによってキャップ10の中に導くことができる。したがって、注射針２の針先が容易にキャップ内に誘導され安全に、かつ確実にキャップ10を被着できる。また、キャップ本体11に切欠き部12を設けているため、成型が容易であって製造コストを安価に抑えることができる。
【００２１】
また、実施例上の効果として、机の上などの平らな場所にキャップ10を置いた際、通常の円柱形状のキャップ10と異なり本実施例のキャップ10は把持部15を有するため、この把持部15がストッパーとなりキャップ10の転がりを防止することができる。また、取り外したキャップが転がることにより紛失してしまうなどの不都合を防ぐことができる。
【実施例２】
【００２２】
本発明の第２実施形態を添付図面を参照して説明する。上記第１実施形態と同一部分に同一符号を付し、その詳細な説明を省略して詳述すると、この例の注射針用キャップ10は、図２に示すように、キャップ本体11と、キャップ本体11の開口面の縁部14に延設した突起部13とからなる。突起部13はＵ字状の形状を有し、キャップ本体11の側面と一体に形成されている。
【００２３】
注射針にキャップを被着する際、注射針２の針先２ａを突起部13に当接させると、突起部13がＵ字状になっているため針先２ａが開口面の縁部14に滑り落ち、注射針２の針先２ａが突起部13とキャップ10の開口面の縁部14との間に位置する。次に、注射針２の針先２ａをキャップ本体11の内側面に当接させ、その後注射針２を該内側面に沿わせてキャップ10の奥にそのままスライドさせることによってキャップ10の中に導くことができる。したがって、注射針２の針先２ａが容易にキャップ10内に誘導され安全に、かつ確実にキャップ10を被着できる。
【００２４】
このように本実施形態では、請求項３に対応して、注射針２の保護用キャップ10であって、キャップ10の開口面の縁部14に突起部13を延設したから、注射針２にキャップ10を被着する際、注射針２の針先２ａを突起部13とキャップ10の開口面の縁部14との間に入れ、注射針２の針先２ａをキャップ本体の内側面に当接させ、その後注射針を該内側面に沿わせてキャップの奥にそのままスライドさせることによってキャップの中に導くことができる。したがって、注射針の針先が容易にキャップ10内に誘導され安全に、かつ確実にキャップを被着できる。
【実施例３】
【００２５】
図３〜図４は本発明の第３実施形態を示し、上記実施形態と同一部分に同一符号を付し、その詳細な説明を省略して詳述すると、この例の注射針用キャップ10は、キャップ本体11と、キャップ本体11の開口面の縁部14に延設した突起部13と、突起部13とほぼ同軸上のキャップ本体11に設けた把持部15とからなる。また、突起部13はＵ字状の形状を有し、キャップ本体11の側面と一体に形成されている。さらに、把持部15は、突起部13とほぼ同軸上のキャップ本体11のほぼ中央部に台形状に形成され、把持部15の中心部が切り取られた枠体のみとなっている。
【００２６】
注射針２にキャップ10を被着する際、親指と人差し指で把持部15を挟持し、注射針２の針先２ａを突起部13とキャップ10の開口面の縁部14との間に入れ、注射針２の針先２ａをキャップ本体11の内側面に当接させ、その後注射針２を傾け該内側面に沿わせてキャップ10の奥にそのままスライドさせることによってキャップ10の中に導くことができる。したがって、注射針２の針先２ａが容易にキャップ10内に誘導され安全に、かつ確実にキャップ10を被着できる。
【００２７】
また、突起部13とほぼ同軸上のキャップ本体11に把持部15を設けたから、注射針２の針先２ａが指の位置と反対側の位置にくるため、針先２ａが指や手に刺さる虞がない。
【００２８】
このように本実施形態では、請求項１及び３に対応して、上記実施例と同様な作用，効果を奏する。
【００２９】
また、このように本実施形態では、請求項４に対応して、突起部13とほぼ同軸上のキャップ本体11に把持部15を設けたから、注射針２の針先２ａが指の位置と反対側の位置にくるため、針先２ａが指や手に刺さる虞がない。さらに、注射針２の針先２ａが容易にキャップ10内に誘導され安全に、かつ確実にキャップを被着できる。
【００３０】
また、実施例上の効果として、机の上などの平らな場所にキャップ10を置いた際、通常の円柱形状のキャップ10と異なり本実施例のキャップ10は把持部15を有するため、この把持部15がストッパーとなりキャップ10の転がりを防止することができる。また、取り外したキャップが転がることにより紛失してしまうなどの不都合を防ぐことができる。
【実施例４】
【００３１】
図４は本発明の第４実施形態を示し、前記実施形態と同一部分に同一符号を付し、その詳細な説明を省略して詳述すると、この例の注射針用キャップ10は、キャップ本体11と、キャップ本体11の開口面の縁部14に延設した突起部13と、突起部13とほぼ同軸上のキャップ本体11に設けた把持部15´とからなる。また、突起部13はＵ字状の形状を有し、キャップ本体11の側面と一体に形成されている。また、把持部15´は略Ｌ字状に形成され、把持部15´の短軸側の一端が突起部13とほぼ同軸上のキャップ本体11の一端近傍の側面と接続している。
【００３２】
注射針２にキャップ10を被着する際、親指と人差し指で把持部15´を挟持し、突起部13とほぼ同軸上のキャップ本体11に把持部15´を設けたから、注射針２の針先２ａが指の位置と反対側の位置にくるため、針先２ａが指や手に刺さる虞がない。
【００３３】
この例においても請求項１及び請求項３〜４に対応して上記実施例と同様な作用，効果を奏する。
【００３４】
また、実施例上の効果として、机の上などの平らな場所にキャップ10を置いた際、通常の円柱形状のキャップ10と異なり本実施例のキャップ10は把持部15´を有するため、この把持部15´がストッパーとなりキャップ10の転がりを防止することができる。また、取り外したキャップが転がることにより紛失してしまうなどの不都合を防ぐことができる。
【００３５】
なお、本発明は、前記実施形態に限定されるものではなく、種々の変形実施が可能である。突起部13は、半円状，Ｖ字状など注射針２の針先２ａが容易にキャップ10内に誘導される形状であればこれに限定されるものではなく、各種の形状のものを用いることができる。さらに、把持部15は、中心部が切り取られていない形状でもよく、掴み易い形状であればこれに限定されるものではなく、各種の形状のものを用いることができる。
【産業上の利用可能性】
【００３６】
主に、日常業務で注射針を頻繁に取り扱う医療従事者にとって、使用済みの注射針による指刺し事故を防ぐことができる。
【図面の簡単な説明】
【００３７】
【図１】本発明の実施例１を示す注射針用キャップの使用説明図である。
【図２】本発明の実施例２を示す注射針用キャップの使用説明図である。
【図３】本発明の実施例３を示す注射針用キャップの斜視図である。
【図４】同上、注射針用キャップを注射針に被着した状態を示す斜視図である。
【図５】本発明の実施例４を示す注射針用キャップの斜視図である。
【符号の説明】
【００３８】
10  注射針用キャップ（キャップ）
11  キャップ本体
12  切欠き部
13  突起部
14  縁部
15  把持部
【図１】
2005152361.tif 000003
【図２】
2005152361.tif 000004
【図３】
2005152361.tif 000005
【図４】
2005152361.tif 000006
【図５】
2005152361.tif 000007